(57)【特許請求の範囲】
【請求項１】
工場生産された床パネルにおける床枠組の前面側に掃き出し窓用のサッシ枠を取付けてなるサッシ枠取付構造において、
工場生産される床パネルの床枠組が床根太と低根太と補強根太の３層併せ根太構造からなり、床根太の両側に低根太と補強根太を添設し、床根太と補強根太の成の高さを同一にし、低根太の成の高さを床根太と補強根太の成の高さより低くし、床根太の前側で上記サッシ枠が設けられる長さに対応する範囲に添設される低根太の上面が床根太の上面に対する低段差部を形成し、床根太の後側で少なくとも低根太が設けられる長さに対応する範囲に補強根太を添設してなり、
上記サッシ枠の内側引き戸用ガイドレールと外側引き戸用ガイドレールを設けたサッシ本体部を、床パネルを構成する床根太の上部に配置し、
上記サッシ枠におけるサッシ本体部の前側に設けられて該サッシ本体部より下側に突出し、網戸用ガイドレールを設けたサッシ下枠部を、床パネルを構成する低根太の上部の低段差部に配置してなることを特徴とするサッシ枠取付構造。
【請求項２】
前記補強根太が前記サッシ枠のサッシ本体部のための取付部となる請求項１に記載のサッシ枠取付構造。
【請求項３】
請求項１又は２に記載のサッシ枠取付構造を有してなる床パネル。
【請求項４】
請求項３に記載の床パネルに壁パネルを接合して構成される建物ユニット。
【発明の詳細な説明】
【技術分野】
【０００１】
本発明はサッシ枠取付構造に関する。
【背景技術】
【０００２】
建物に掃き出し窓用のサッシ枠を組込もうとするとき、特許文献１に記載の如く、基礎上にその上端面の外側をあけて配設された床パネルと基礎との上に、壁パネルの半土台を設け、半土台の上面より下側に突出する上記サッシ枠の下枠を、半土台の中央部上面に形成してある凹部に嵌入して納めるものがある。これにより、上記サッシ枠の内面を床パネルの床面と面一になるようにしたものである。
【特許文献１】特許3112224
【発明の開示】
【発明が解決しようとする課題】
【０００３】
特許文献１に記載のサッシ枠取付構造では、サッシ枠の下枠を半土台に形成した凹部に嵌入して納めるものであり、半土台の断面強度が凹部の形成によって脆弱化して強度不足になるおそれがある。
【０００４】
また、特許文献１に記載のサッシ枠取付構造では、サッシ枠の下枠を半土台の脆弱化した凹部に単に納めるとしており、サッシ枠の強固な取付けについて考慮がない。
【０００５】
本発明の課題は、床枠組の前面側に掃き出し窓用のサッシ枠を安定的に取付けることにある。
【課題を解決するための手段】
【０００６】
請求項１の発明は、工場生産された床パネルにおける床枠組の前面側に掃き出し窓用のサッシ枠を取付けてなるサッシ枠取付構造において、工場生産される床パネルの床枠組が床根太と低根太と補強根太の３層併せ根太構造からなり、床根太の両側に低根太と補強根太を添設し、床根太と補強根太の成の高さを同一にし、低根太の成の高さを床根太と補強根太の成の高さより低くし、床根太の前側で上記サッシ枠が設けられる長さに対応する範囲に添設される低根太の上面が床根太の上面に対する低段差部を形成し、床根太の後側で少なくとも低根太が設けられる長さに対応する範囲に補強根太を添設してなり、上記サッシ枠の内側引き戸用ガイドレールと外側引き戸用ガイドレールを設けたサッシ本体部を、床パネルを構成する床根太の上部に配置し、上記サッシ枠におけるサッシ本体部の前側に設けられて該サッシ本体部より下側に突出し、網戸用ガイドレールを設けたサッシ下枠部を、床パネルを構成する低根太の上部の低段差部に配置してなるようにしたものである。
【０００７】
請求項２の発明は、請求項１の発明において更に、前記補強根太が前記サッシ枠のサッシ本体部のための取付部となるようにしたものである。
【０００８】
請求項３の発明は、請求項１又は２に記載のサッシ枠取付構造を有してなる床パネルである。
【０００９】
請求項４の発明は、請求項３に記載の床パネルに壁パネルを接合して構成される建物ユニットである。
【発明の効果】
【００１０】
（請求項１）
(a)床枠組の構成材に床根太、低根太、補強根太の３層併せ根太構造を採用し、サッシ枠におけるサッシ本体部の前側に設けられて該サッシ本体部より下側に突出するサッシ下枠部を低根太の上部の低段差部に配置した。従って、上記サッシ枠の内面を床面と面一以下のレベルに設定できる。
【００１１】
(b)床根太の後側で少なくとも低根太が設けられる長さに対応する範囲に、補強根太を添設した。従って、床根太の前側に添設される根太を成の低い小断面の低根太にしながら、該床根太を補強できる。
【００１２】
（請求項２）
(c)補強根太を上記サッシ枠のサッシ本体部のための取付部としても利用し、上記サッシ枠を床枠組に強固に取付けできる。
【００１３】
（請求項３）
(d)上述(a)〜(c)のサッシ枠取付構造を具備する床パネルを工場生産することができる。
【００１４】
（請求項４）
(e)上述(d)の床パネルに壁パネルを接合して建物ユニットを構成することにより、上述(a)〜(c)のサッシ枠取付構造を具備する建物の工場生産化率を一層向上できる。
【発明を実施するための最良の形態】
【００１５】
図１は建物ユニットを示す斜視図、図２はサッシ枠の組込構造を示す断面図、図３は併せ根太を示す正面図、図４は併せ根太を示す平面図、図５は図４のV-V線に沿う断面図、図６は図４のVI-VI線に沿う断面図である。
【実施例】
【００１６】
図１に示す建物ユニット１０は、工場生産段階で、床パネル２０の外縁部に壁パネル３０を立設して接合され、掃き出し窓１１を有する。建物ユニット１０は、建築現場に輸送され、複数の他の建物ユニットと隣接設置されてユニット建物を構成する。
【００１７】
床パネル２０は、図２に示す如く、床枠組２１の下面に土台２２を設け、床枠組２１の上面に床面材２３、床仕上げ材２４を設けて構成される。壁パネル３０は、図２に示す如く、壁枠組３１の外面に外壁面材３２を、内面に内壁面材３３を設け、壁枠組３１の内部に掃き出し窓１１のための窓取付枠３４を設けて構成される。
【００１８】
建物ユニット１０は、床パネル２０の床枠組２１の前面側、かつ壁パネル３０の窓取付枠３４の内部に、掃き出し窓１１のためのサッシ枠４０を取付ける。サッシ枠４０は、矩形枠状のサッシ本体部４１を有し、サッシ本体部４１の前側に設けられてサッシ本体部４１より下側に突出するサッシ下枠部４２を備えるとともに、サッシ本体部４１の前側に設けられてサッシ本体部４１より上側に突出するサッシ上枠部４３を備える。サッシ枠４０は、サッシ本体部４１、サッシ下枠部４２、サッシ上枠部４３のそれぞれを、床パネル２０の床枠組２１、壁パネル３０の窓取付枠３４のそれぞれに止ねじ４４により固定される。サッシ枠４０は、サッシ本体部４１の下面に設けた内側ガイドレール４５Ａとサッシ本体部４１の上面に設けた内側ガイドレール４５Ｂの間に、内側引き戸４５を設け、サッシ本体部４１の下面に設けた外側ガイドレール４６Ａとサッシ本体部４１の上面に設けた外側ガイドレール４６Ｂの間に、外側引き戸４６を設けてある。サッシ枠４０は、サッシ下枠部４２に設けたガイドレール４７Ａとサッシ上枠部４３に設けたガイドレール４７Ｂの間に、網戸４７を設けている。
【００１９】
しかるに、建物ユニット１０は、掃き出し窓１１のサッシ枠４０を室内側に引き込み、かつサッシ枠４０のサッシ本体部４１の内面を床パネル２０の床面（床仕上げ材２４の上面）以下のレベルに設定するよう下記(1)〜(5)の構成を具備する。
【００２０】
尚、床パネル２０の床枠組２１の構成材として、図３〜図６に示す如く、床根太５１、低根太５２、補強根太５３の３層併せ根太５０を採用する。３層併せ根太５０は、床根太５１の両側に低根太５２と補強根太５３を添設し、床根太５１と補強根太５３の成の高さを同一にし、低根太５２の成の高さを床根太５１、補強根太５３の成の高さより低くする。
【００２１】
(1)サッシ枠４０のサッシ本体部４１を、床枠組２１を構成する床根太５１の上部に、本実施例では床面材２３を挟む室内側に引き込んで配置する。このとき、サッシ枠４０のサッシ本体部４１の内面を床パネル２０の床面（床仕上げ材２４の上面）以下のレベルに設定する。
【００２２】
(2)床根太５１の前側（室外側）でサッシ枠４０が設けられる長さＬに対応する範囲に、床根太５１の上面に対する低段差部５２Ａを形成する低根太５２を添設する。床根太５１の前側でサッシ枠４０が設けられない範囲（低根太５２の両側領域）に、成の高さを床根太５１の成の高さを同一にする高根太５４を添設する。本実施例では、床根太５１の前側に合板材５５を介して低根太５２、高根太５４を添設一体化する。
【００２３】
(3)サッシ本体部４１の前側（室外側）に設けられて該サッシ本体部４１より下側に突出するサッシ下枠部４２を低根太５２の上部の低段差部５２Ａに配置する。サッシ下枠部４２の前側取付片４２Ａを止ねじ４４により合板材５４、床根太５１に固定する。
【００２４】
(4)床根太５１の後側（室内側）で少なくとも低根太５２が設けられる長さＬに対応する範囲に、補強根太５３を添設する。本実施例では、床根太５１の後側に直に補強根太５３を添設一体化する。
【００２５】
(5)サッシ本体部４１の後側（室内側）で床面材２３に沿う後方に向けてサッシ本体部４１から突出する後側取付片４８を、止ねじ４９により床面材２３、補強根太５３（サッシ本体部４１のための取付部）に固定する。
【００２６】
本実施例によれば以下の作用効果を奏する。
(a)床枠組２１の構成材に床根太５１、低根太５２、補強根太５３の３層併せ根太５０による構造を採用し、サッシ枠４０におけるサッシ本体部４１の前側に設けられて該サッシ本体部４１より下側に突出するサッシ下枠部を低根太５２の上部の低段差部５２Ａに配置した。従って、サッシ枠４０の内面を床面と面一以下のレベルに設定できる。
【００２７】
(b)床根太５１の後側で少なくとも低根太５２が設けられる長さＬに対応する範囲に、補強根太５３を添設した。従って、床根太５１の前側に添設される根太を成の低い小断面の低根太５２にしながら、該床根太５１を補強できる。
【００２８】
(c)補強根太５３をサッシ枠４０のサッシ本体部４１のための取付部としても利用し、サッシ枠４０を床枠組２１に強固に取付けできる。
【００２９】
(d)上述(a)〜(c)のサッシ枠４０組込構造を具備する床パネル２０を工場生産することができる。
【００３０】
(e)上述(d)の床パネル２０に壁パネル３０を接合して建物ユニットを構成することにより、上述(a)〜(c)のサッシ枠取付構造を具備する建物の工場生産化率を一層向上できる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３２】
【図１】図１は建物ユニットを示す斜視図である。
【図２】図２はサッシ枠の組込構造を示す断面図である。
【図３】図３は併せ根太を示す正面図である。
【図４】図４は併せ根太を示す平面図である。
【図５】図５は図４のV-V線に沿う断面図である。
【図６】図６は図４のVI-VI線に沿う断面図である。
【符号の説明】
【００３３】
１０  建物ユニット
１１  掃き出し窓
２０  床パネル
２１  床枠組
２３  床面材
２４  床仕上げ材
３０  壁パネル
４０  サッシ枠
４１  サッシ本体部
４５Ａ  内側引き戸用ガイドレール
４６Ａ  外側引き戸用ガイドレール
４７Ａ  網戸用ガイドレール
４８  取付片
５０  ３層併せ根太
５１  床根太
５２  低根太
５３  補強根太
【図１】
0005308702.tif 000002
【図２】
0005308702.tif 000003
【図３】
0005308702.tif 000004
【図４】
0005308702.tif 000005
【図５】
0005308702.tif 000006
【図６】
0005308702.tif 000007